(57)【特許請求の範囲】
【請求項１】
信号源（Ａ）からの信号（１）を、位相差を有する二つの信号、前記主増幅器経路（３，４，５）に向かう主信号（Ｂ）と、参照信号（Ｃ）に分割することと、
前記主信号（Ｂ）を第１直交ベクトル成分（ＢＩ／ＢＱ）に位相分割することと、
前記参照信号（Ｃ）を第２直交ベクトル成分（ＣＩ／ＣＱ）に位相分割することと、
前記ベクトル成分がデカルト系の一部を形成することと、
主信号（Ｂ）と参照信号（Ｃ）との位相差を測定することと、
位相差によって制御され、またそれにより位相差を最小化する座標の回転によりデカルト系を安定させることを含み、
前記信号源から信号を受信し、主出力を有する主増幅器経路を形成している線形電子増幅器において、位相を自動制御する方法であって、
前記主増幅器経路（３，４，５）のデカルト位相及び利得制御要素（４）において、前記第１分割信号（ＢＱ，ＢＩ）を受信し、そこから、前記主信号（Ｂ）の発信位相を発生することと、
デカルト位相検知器（２１，２２）を使用して、主増幅器（５）の出力から信号（Ｆ）と参照信号（Ｃ）の加算点（７）に向かう信号（Ｆ）と、参照信号（Ｃ）の間の位相差を決定することと、
前記位相差の測定は、デカルト位相及び利得制御要素（４）における発信位相（Ｉ，Ｑ）と、デカルト位相検知器（２１，２２）を使用して獲得した位相との位相差に関し実施することと、
主増幅器の出力から、信号（Ｆ）と前記参照信号の加算点（７）に向かう、前記信号（Ｆ）に関し回転を実施することと、
主増幅器の出力から発せられた前記参照信号（Ｆ）を、第４直交ベクトル成分に位相分割することと、
前記加算点（７）への入力を発生するために、前記第４直交ベクトル成分を相関することと、
を特徴とする方法。
【請求項２】
信号源（Ａ）からの信号（１）を、位相差を有する二つの信号、主増幅器経路（３，４，５）に向けられた主信号（Ｂ）と、参照信号（Ｃ）に分割することと、
前記主信号（Ｂ）を第１直交ベクトル成分（ＢＩ／ＢＱ）に位相分割することと、
前記参照信号（Ｃ）を第２直交ベクトル成分（ＣＩ／ＣＱ）に位相分割することと、
前記ベクトル成分がデカルト系の一部を形成することと、
主信号（Ｂ）と参照信号（Ｃ）との位相差を測定することと、
位相差によって制御され、またそれにより位相差を最小化する前記座標の回転により前記デカルト系を安定化させることを含み、
前記信号源からの信号を受信し、主出力を有する前記増幅器経路を形成する線形電子増幅器の位相を自動制御する方法であって、
前記主増幅器経路（３，４，５）のデカルト位相及び利得制御要素（４）において、前記第１分割信号（ＢＩ，ＢＱ）を受信し、そこから前記主信号（Ｂ）の発信位相を発生することと、
前記デカルト位相及び利得制御要素（４）を制御する制御信号（Ｉ，Ｑ）を発生することと、
デカルト位相検知器（２１，２２）を使用して、主増幅器（５）の出力から信号（Ｆ）と参照信号（Ｃ）の加算点（７）に向かう信号（Ｆ）と、参照信号（Ｃ）の間の位相差を決定することと、
主信号（Ｂ）と参照信号（Ｃ）との位相差の測定は、前記制御信号の位相（Ｉ，Ｑ）を測定し、それをデカルト位相検知器（２１，２２）を使用して獲得された位相から減ずることにより行われることと、
参照信号（Ｃ）と主増幅器（５）からの出力信号間の、差信号（Ｇ）を発生することと、
前記直交ベクトル（ＣＩ，ＣＱ）と前記差信号（Ｇ）を相関することにより誤差ベクトル（Ｈ，Ｊ）が発生し、該ベクトルは前記制御信号（Ｉ，Ｑ）を発生する回転を実施する前記回転手段（１１）への入力変数となることと、
を特徴とする方法。
【請求項３】
主増幅器経路（３，４，５）において無線周波数（ＲＦ）信号（Ｅ）に関し回転を実施することを特徴とする請求項１又は２に記載の方法。
【請求項４】
参照信号（Ｃ）の位相に関し回転を実施することを特徴とする請求項１ないし３のいずれかに記載の方法。
【請求項５】
前記参照信号を第３直交ベルトル成分に位相分割することと、
前記第２位相分割手段（８）への入力を発生するために、前記第３直交ベクトル成分を相関することを特徴とする請求項４に記載の方法。
【請求項６】
増幅器の出力信号（Ｅ）と参照信号（Ｃ）との差を提供している誤差信号（Ｇ）に関し回転を実施することを特徴とする請求項２に記載の方法。
【請求項７】
前記誤差信号（Ｇ）を第５直交ベクトル成分に位相分割することと、
前記第５直交ベクトル成分を相関することにより前記相関手段（９，１０）への入力が発生し、該相関手段が前記第２直交ベクトルと前記差信号（Ｇ）を受信し、相関することにより誤差ベクトルが発生することを特徴とする請求項６に記載の方法。
【請求項８】
信号源（Ａ）からの信号（１）を、位相差を有する二つの信号、主増幅器経路（３，４，５）に向かう主信号（Ｂ）と、参照信号（Ｃ）とに分割する信号分割手段（Ａ１）と、
前記主信号（Ｂ）を第１直交ベクトル成分（ＢＩ，ＢＱ）に分割する第１位相分割手段（３）と、
前記参照信号（Ｃ）を第２直交ベクトル成分（ＣＩ，ＣＱ）に分割する第２位相分割手段（８）と、
前記ベクトル成分がデカルト系の一部を形成することと、
主信号（Ｂ）と参照信号（Ｃ）との位相差を測定する手段（２１，２２，２３）と、
位相差によって制御され、それにより位相差を最小化する前記座標の回転により前記デカルト系を安定化させる回転手段（１１；２７；２９；３１）を含み、
信号源（１）から信号（Ａ）を受信し、主出力（Ｅ）を有する主増幅器経路を形成している線形化電子増幅器（３，４，５）において、位相を自動制御するシステムであって、
前記主増幅器経路（３，４，５）において、前記第１分割信号（ＢＱ，ＢＩ）を受信し、そこから前記主信号（Ｂ）の発信位相を発生するデカルト位相及び利得制御要素（４）と、
主増幅器（５）の出力から信号（Ｆ）と参照信号（Ｃ）の加算点（７）に向かう信号（Ｆ）と、参照信号（Ｃ）の間の位相差を決定するデカルト位相検知器（２１，２２）と、
デカルト位相及び利得制御要素（４）における発信位相（Ｉ，Ｑ）と、デカルト位相検知器（２１，２２）を使用して獲得された位相との間の位相差に関し、前記測定を実施する手段（２３）と、
前記回転手段は、主増幅器の出力から信号（Ｆ）と前記参照信号の加算点（７）に向かう前記信号（Ｆ）に関し回転を実施し、
主増幅器の出力から発せられた前記参照信号（Ｆ）を第４直交ベクトル成分に位相分割する第４位相分割手段（２８）と、
前記加算点（７）への入力を発生するために、前記第４直交ベクトル成分を受信し、相関する相関手段（２９）と、
を特徴とするシステム。
【請求項９】
信号源（Ａ）からの信号（１）を、位相差を有する２つの信号、主増幅器経路（３，４，５）に向かう主信号（Ｂ）と参照信号（Ｃ）とに分割する信号分割手段（Ａ１）と、
前記主信号（Ｂ）を第１直交ベクトル成分（ＢＩ／ＢＱ）に位相分割する第１位相分割手段（３）と、
前記参照信号（Ｃ）を第２直交ベクトル成分（ＣＩ，ＣＱ）に分割する第２位相分割手段（８）と、
前記ベクトル成分がデカルト系の一部を形成していることと、
主信号（Ｂ）と参照信号（Ｃ）との位相差を測定する手段（２１，２２，２３）と、
位相差によって制御され、それにより位相差を最小化する前記座標の回転により前記デカルト系を安定化する回転手段（１１；２７；２９；３１）を含み、
前記信号源（１）から信号（Ａ）を受信し、主出力（Ｅ）を有する主増幅器経路を形成している線形化電子増幅器（３，４，５）において、位相を自動制御するシステムであって、
前記主増幅器経路（３，４，５）において、第１分割信号（ＢＩ，ＢＱ）を受信し、そこから前記主信号（Ｂ）の発信位相を発生するデカルト位相及び利得制御要素（４）と、
前記デカルト位相及び利得制御要素（４）を制御するための制御信号（Ｉ，Ｑ）を発生する手段（９，１０，１１，１２，１３）と、
主増幅器（５）の出力から信号（Ｆ）と参照信号（Ｃ）の加算点（７）に向かう信号（Ｆ）と、参照信号（Ｃ）の位相差を決定するデカルト位相検知器（２１，２２）と、
主信号（Ｂ）と参照信号（Ｃ）との位相差の測定は、前記制御信号（Ｉ，Ｑ）の位相を測定し、それをデカルト位相検知器（２１，２２）を使用して獲得された位相から減ずることにより行われる手段と、
主増幅器（５）からの出力信号と参照信号（Ｃ）の差信号（Ｇ）を発生する手段（７）と、
前記制御信号（Ｉ，Ｑ）を発生する回転を実施する前記回転手段（１１）への入力変数となる誤差ベクトル（Ｈ，Ｊ）を発生するために、前記直交ベクトル（ＣＩ，ＣＱ）と前記差信号（Ｇ）を受信し、相関する相関手段（９，１０）と、
を特徴とするシステム。
【請求項１０】
前記回転手段（１１）は、主増幅器経路（３，４，５）において、無線周波数（ＲＦ）信号（Ｅ）に関し回転を実施することを特徴とする請求項８又は９に記載のシステム。
【請求項１１】
前記回転手段は、参照信号（Ｃ）の位相に関し回転を実施することを特徴とする請求項８又は９に記載のシステム。
【請求項１２】
前記参照信号（Ｃ）を第３直交ベクトル成分に分割する第３位相分割手段（２６）と、
前記第２位相分割手段（８）への入力を発生するために、前記第３直交ベクトル成分を受信し、相関する相関手段（２７）を特徴とする請求項１１に記載のシステム。
【請求項１３】
前記回転手段は、増幅器の出力信号（Ｅ）と参照信号（Ｃ）との間の差を提供している誤差信号（Ｇ）に関し回転を実施することを特徴とする請求項９に記載のシステム。
【請求項１４】
前記誤差信号（Ｇ）を第５直交ベクトル成分に位相分割する第５位相分割手段（３０）と、
前記第２直交ベクトルと前記差信号（Ｇ）を受信及び相関することにより誤差ベクトルを発生する前記相関手段（９，１０）への入力を発生するために、前記第５直交ベクトル成分を受信及び相関する第５相関手段（３１）を特徴とする請求項１３に記載のシステム。
【発明の詳細な説明】
【０００１】
【発明の技術分野】
一般的に、本発明は電子増幅器の線形化の課題に関係し、さらに詳細には、こういったシステムにおける位相シフトを制御するという課題に関係する。
【０００２】
【従来技術】
移動無線電話サービスの需要が近年増加しており、さらに能率的な変調システムを探求することとなった。無線周波数（「ＲＦ」）変調の最も能率的な形態は、例えば、「ＧＭＳＫ」(Gaussian Minimum Shift Keying)などの非線形である。しかし、さらなる容量を求める需要により、π／４シフトＤＱＰＳＫなどの線形変調法の研究が進められている。
【０００３】
線形変調システムは、エンベロープの変化量を犠牲にして、スペクトル利用において大きな利得を生じる。これらの信号は、非線形ＲＦ増幅器に通したときに歪を生じ、その結果割当てチャネルを超えてスペクトル拡散が起こり、相互変調積(intermodulation products)が生成される。従って、線形変調システムには、線形ＲＦ増幅器を使用することが望ましい。しかし、従来の線形増幅器も非能率的であり、携帯電話のバッテリを使用して増幅器に電力供給できるように、線形増幅器の電力効率をあげる必要があることも指摘されている。
【０００４】
非線形増幅器を線形化する方法の１つとして、フィードフォワード線形化を使用することが知られている。これは、増幅器の出力における歪を除去することに基づいている。歪信号又は誤差信号は、増幅器の出力信号を入力信号と比較することによって測定される。この誤差信号は歪を有する位相のずれであり、出力に加えられることにより歪を軽減する。前記誤差信号は線形ＲＦ電力増幅器によって増幅される必要がある。
【０００５】
しかし、ＲＦ電力増幅器の能率が上がると、その歪も大きくなり、よって、誤差信号レベルが増幅される。誤差信号が大きくなるほど、線形増幅器も大きくなり、よって、電力消費が増大し、能率が低下する。このようなシステムは特に広帯域システムに適用されていた。要するに、フィードフォワード線形化システムの例は２ループを有する場合があり、第１ループは主電力増幅器に発生する歪を除去するために、参照経路と同利得及び同位相シフトを有する必要がある主増幅経路を含む。第２ループにも同じことが言え、主電力増幅器信号内の誤差を取り除くことができるように、誤差増幅器経路は主経路と同利得及び同位相シフトを有する必要がある。
【０００６】
極領域又はデカルト領域において、上述の制御を成し遂げることができる。ある方法は、位相と利得を極領域で制御する。別の方法は、前記制御をデカルト領域で行い、利得と位相を直交ベクトルを用いて制御する。前記どちらの方法も、それぞれ、特有の長所及び短所を有する。デカルトシステム特有の短所は安定性の欠如である。
【０００７】
非線形システムを線形化するためにフィードバックを使用することも知られている。１つの方法はデカルトフィードバックを使用することである。それは、容易に、かつ低コストで、相互変調歪みを軽減するために、基本帯域直交変調(baseband quadrature modulation)の負帰還を使用する。デカルト利得及び位相制御はＵＳ５，１５７，３４６に記載されている。この特許に記載された解決法は、まだ安定性の課題を残している。その理由は、増幅器経路と参照経路の位相シフトが、少なくとも９０度の範囲内となる必要があるからで、そうでない場合システムが不安定となる。また範囲内であっても、数度の位相誤差がシステム性能を低下させる。これは、慎重な位相調節が必要になることを意味するが、温度及び経年変化の影響によりその性能は制限される恐れがあり、システムを発振させることさえある。
【０００８】
従って、位相誤差を数度以内に安定して保持することができるデカルト領域でフィードバックを用いることにより、電力増幅器の線形化を提供する必要性があることがわかる。
【０００９】
【本発明の要旨】
上述から理解できるように、システムには電力増幅器の線形化のための課題があり、特に、線形化にデカルトフィードバック技術を使用するシステムに課題がある。既存のシステムは、重大なシステム低下を引き起こす、位相が不安定であるという課題を残している。
【００１０】
従って、本発明の目的は、増幅器の位相誤差を数度の範囲内で安定化させる、デカルトフィードバックのための方法及び装置を提供することである。
【００１１】
本発明はシステムの位相を自動制御することによって上述の目的を達成する。通常、フィードバックシステムは演算増幅器を有する。内部補償された演算増幅器は、ほぼ位相シフトが９０度の積分器である。よって、さらに９０度の位相シフトが加わると、増幅器を発振させることになる。つまり、約３０度を超える位相シフトでさえ、利得と最大雑音によって性能を低下させる。演算増幅器を備えたループにおいて、遅延又は位相シフトを引き起こせば、システムは必ずしも安定しない。無線工学において、こういった遅延は、例えば、アップコンバータ、ダウンコンバータ又は電力増幅器として存在しうる。システムを安定させるために、対応する位相シフトは閉ループのどこかで減じられる必要がある。少なくとも理論的には、手動で慎重に微調整することによって行うことができるが、あらゆる状況において、回転は安定性を維持するために必要である。通常、送信機において位相シフトとは、例えば３６０度の約２０回といった、複数の回転であり、例えば約±３０度以内に制御される必要がある。
【００１２】
本発明は、直接的又は間接的に位相差を測定し、それに従ってデカルトシステムに回転を実施することによりシステムの位相を自動制御し、位相誤差を数度の範囲内に調整する。
【００１３】
位相差を測定する方法はいくつかある。最も簡潔な方法は、デカルト位相及び利得制御要素の出力位相を測定し、これを参照信号の位相と比較することである。或いは、発信位相の指標として利得及び位相コントローラに対して制御信号を利用することにより、発信位相を間接的に測定することができる。この位相はデカルト位相検知器を使用して獲得された参照信号の位相から減じられ、その位相差は座標を回転するために使用される。
【００１４】
前記座標回転はシステム内の複数の地点で実施することができる。回転はＲＦ（無線周波数）において、主増幅器経路の任意の箇所で行ってもよいし、或いは、利得及び位相コントローラへの制御信号を回転してもよい。その他の可能性としては、参照信号の位相回転、主増幅器から加算点に向かっている信号の回転又は誤差信号の回転がある。
【００１５】
本発明は、デカルトループの本形態を安定させる上で他のどの方法よりも優れており、面倒かつ時間を浪費する調整作業を不要にする。さらに、位相制御がとても正確なので、本発明は、従来の解決法よりも大きい帯域幅と高い総合的な性能を供与することができる。
【００１６】
本発明を上記に要約したが、本発明による方法とシステムは添付の請求項にて規定される。
【００１７】
【詳細な説明】
図１において、従来技術のフィードフォワード線形化システムは、比較ループである、指定ループ１を構成し、前記ループ１では、主経路内の主増幅器ａｍｐ１は、遅延線ベクトル微分演算子ｄｅｌ１を含む参照経路と平行に延びている。主経路及び参照経路がそれぞれ入力信号ｉｎｐ１を受信する。入力信号ｉｎｐ１に応じて、増幅器ａｍｐ１は歪んだ出力信号ｏｕｔｐ１を発生する。遅延線ベクトル微分演算子ｄｅｌ１を備えた参照経路は、増幅器ａｍｐ１の遅延とほぼ同等の遅延を発生し、それによりｉｍｐ１の遅延ｄｅｌｉｎｐ１が発生する。比較器ｃｏｍｐ１は信号ｏｕｔｐ１とｄｅｌｉｎｐ１を受信し、比較器の出力において、信号ｏｕｔｐ１とｄｅｌｉｎｐ１との差を表す誤差信号ｅｒｒ１を発生する。比較ループＬＯＯＰ１が平衡であれば、誤差信号ｅｒｒ１は増幅器ａｍｐ１によって生じた歪みを示す。
【００１８】
第２ループＬＯＯＰ２において、誤差信号ｅｒｒ１は、図示されていない振幅及び位相がマッチングしたネットワークを介して誤差増幅器ａｍｐ２に入力され、それから、コンバイナｃｏｍｂの第１入力に入力される。増幅器ａｍｐ１の出力ｏｕｔｐ１もまた、比較器ｃｏｍｐ１が取込んだ遅延と実質的に同等の遅延を受信する遅延線ベクトル微分演算子ｄｅｌ２と、上述振幅及び位相がマッチングしたネットワークを介してコンバイナｃｏｍｂの第２入力に入力される。
【００１９】
このように、ＬＯＯＰ１において、主増幅器ａｍｐ１経路は、主電力増幅器ａｍｐ１で発生した歪みを減じるために、参照経路と同利得及び同位相シフトを有する必要性を満たす。同じことがＬＯＯＰ２にもあてはまり、主電力増幅器信号内の誤差が減じられるように、誤差増幅器経路は主経路と同利得及び同位相シフトを有する必要性を満たす。
【００２０】
極領域又はデカルト領域において、上述の制御を達成することができる。位相及び利得制御の１つの方法が概略的に図２に示されている。図２と図１の相違点は、増幅器ａｍｐ１の入力と直列に導入された位相制御要素ｐｈａｓｅ１及び利得制御要素ｇａｉｎ１と、増幅器ａｍｐ２の入力と直列に導入された位相制御要素ｐｈａｓｅ２と利得制御要素ｇａｉｎ２だけである。
【００２１】
デカルト領域において利得と位相を制御するための別の従来技術による方法が、概略的に図３に示されており、以下の箇所で図１とは異なる。入力信号ｉｎｐ１は、９０度位相スプリッタとデカルト位相及び利得制御要素を直列に含む制御回路を介して主増幅器ａｍｐ１に繋がっている。９０度位相スプリッタは信号ｉｎｐ１を受信すると２つの直交成分０と−９０に分割し、それを、デカルト位相及び利得制御要素が受信する。デカルト位相及び利得制御要素４は制御信号ＩとＱによって制御される。上述の制御回路と同様の配列が増幅器ａｍｐ２の前段にも導入されている。
【００２２】
図２と図３による上述の２つの方法は、それぞれ、特有の長所と短所を有する。デカルトシステム特有の短所は安定性の欠如である。
【００２３】
本発明の実施形態が、デカルト領域で位相及び利得が制御されたフィードフォワード線形化システムの形態で、図４に示されている。信号源１からの入力信号Ａは信号スプリッタＡ１によって信号ＢとＣに分割される。以下において、さらに詳述されるように、信号Ｃは参照信号として用いるために遅延線２によって遅延される。信号Ｂは、９０度位相スプリッタ３、デカルト位相及び制御要素４、及び主増幅器５を直列に含んでいる主増幅器経路に繋がっている。９０度位相スプリッタ３は信号Ｂを受信すると２つの直交成分ＢＩとＢＱに分割し、それをデカルト位相及び利得制御要素４が受信する。制御要素４の出力は主増幅器５に入力され、主増幅器５は出力信号Ｅを発生する。主増幅器出力信号Ｅの一部Ｆと遅延信号Ｃが減算回路７に入力され、減算回路７は信号Ｅと参照信号Ｃの差Ｇを生成する。
【００２４】
参照信号Ｃの直交成分形態の参照ベクトルＣＩ，ＣＱが９０度位相スプリッタ８において生成される。直交成分ＣＩとＣＱはそれぞれ、相関器９と１０の第１入力に入力され、両相関器は各第２入力にて信号Ｇも受信する。最も単純な形態の相関器９と１０は乗算器でもよく、直交成分ＣＩ及びＣＱと信号Ｇの相関関係を実施し、誤差ベクトルＨとＪを発生する。直交誤差ベクトルＨとＪは回転のためのローテータ１１にて受信され、それから、以下でさらに詳述されるように、ループフィルタ１２と１３を介してデカルト位相及び利得要素４を制御する。それによって、制御ループは閉塞される。
【００２５】
誤差ベクトルＨとＪの回転は、主増幅器経路Ｂと参照経路Ｃとの位相差に関係なく、無条件でシステムを安定させる。本発明では、これは、主増幅器５を含んでいるループの位相シフトを直接的、或いは、間接的に測定することによって成し遂げられ、それから、この情報は、それに応じて座標系を回転するために使用される。
【００２６】
ある１つの実施形態によれば、デカルト利得及び位相コントローラ４と増幅器５の入力との間の位相である、送信位相は、利得及び位相コントローラ４の制御信号ＱとＩを利用することによって間接的に決定することができる。減算回路７における信号Ｆの入力の位相である受信位相は、参照ベクトルＣＩとＣＱ上で信号Ｆを算出することによって獲得される。これは、各第１入力において信号Ｆを、各第２入力においてそれぞれ参照ベクトルＣＩとＣＱを受信する位相検知器２１，２２で実施される。各位相検知器２１と２２からの出力２１ａと２２ａは、送信位相と受信位相の差を計算する位相相殺器２３に入力される。
【００２７】
さらに詳細には、位相相殺器２３は、各２つの位相検知器２３ａ１，２３ａ２と２３ｂ１，２３ｂ２からなる２グループ２３ａと２３ｂから構成される。位相検知器２３ａ１と２３ｂ１の各１入力は、位相検知器２２からの出力２２ａを受信する。位相検知器２３ａ２と２３ｂ２の各１入力は、位相検知器２１からの出力２１ａを受信する。位相検知器２３ａ１と２３ｂ２の各第２入力はともに、ループフィルタ１２の出力に接続される。位相検知器２３ａ２と２３ｂ１の各第２入力はともに、ループフィルタ１３の出力に接続される。
【００２８】
位相検知器２３ａ１と２３ａ２の出力は、加算されてループフィルタ２５への入力となり、ループフィルタ２５の出力はローテータ１１への第１入力になる。位相検知器２３ｂ１と２３ｂ２の出力は、減算されてループフィルタ２４への入力となり、ループフィルタ２４の出力はローテータ１１への第２入力になる。
【００２９】
さらに詳細には、ローテータ１１は各２つの乗算器１１ａ１，１１ａ２と１１ｂ１，１１ｂ２からなる２グループの１１ａと１１ｂから構成される。乗算器１１ａ１と１１ｂ１の各１入力は、ループフィルタ２５からの出力２５ａを受信する。乗算器１１ａ２と１１ｂ２の各１入力は、ループフィルタ２４からの出力２４ａを受信する。乗算器１１ａ１と１１ｂ２のそれぞれもう１つの入力は相関器９からベクトルＨを受信する。乗算器１１ａ２と１１ｂ１のその他の各入力は相関器１０からベクトルＪを受信する。
【００３０】
乗算器１１ａ１と１１ａ２の出力は減算されてフィルタ１２への入力となる。乗算器１１ｂ１と１１ｂ２の出力は加算されてフィルタ１３への入力となる。
【００３１】
本発明の別の実施形態も想定可能である。
【００３２】
座標系の回転と位相測定は、当該システムの複数の地点で実施することができ、図４はその１例である。例えば、座標系の回転は、制御信号ＱとＩ上で直接行うことができる。つまり、ローテータ１１はフィルタ１２及び１３の次段に配置することができる。他の例では、例えば、図５に示すような参照信号Ｃ、主増幅器５からの信号Ｅ、図６に示すような主増幅器から加算点７に向かう信号Ｆ、又は、図７に示すような加算点７の出力を形成する信号Ｇなどの、いずれかのＲＦ入力信号における回転がある。同様に、上述したように、位相差は様々な方法で直接的、或いは、間接的に測定することができる。
【００３３】
図５〜図７は、図４のローテータ１１が欠如している点と、誤差ベクトルＨとＪが、直接フィルタ１２と１３にそれぞれ係属している点で共通している。図５の場合において、信号Ｃは、各フィルタ２４と２５からの信号２４ａと２５ａによって制御されるように、９０度位相スプリッタ２６において、デカルト位相及び利得制御要素２７で使用される２つの直交成分に分割される。制御要素２７の出力は、位相スプリッタ８に受信される。図６の場合は、信号Ｆは、各フィルタ２４と２５からの信号２４ａと２５ａによって制御されるように、９０度位相スプリッタ２８において、デカルト位相及び利得制御要素２９で使用される２つの直交成分に分割される。制御要素２９の出力は、減算回路７の上部側入力において受信される。図７の場合は、信号Ｇは、各フィルタ２４と２５からの信号２４ａと２５ａによって制御されるように、９０度位相スプリッタ３０において、デカルト位相及び利得制御要素３１で使用される２つの直交成分に分割される。制御要素３１の出力は相関器９と１０の共通の上部側入力で受信され、それら相関器はそれぞれ誤差ベクトルＨとＪを発生させ、それら誤差ベクトルはそれぞれフィルタ１２と１３で受信される。
【００３４】
図４〜７で図示した実施形態は、主増幅器経路と参照経路との間に利得及び位相等価性を獲得するために使用される。したがって、主増幅器によって発生する歪は、いずれも信号ＦとＣを減算した結果となる。これは、制御ループが主増幅器ループの変化を補償することを意味する。
【００３５】
前述の内容から、歪みは増幅器の特性における信号誘導修正(signal-induced changes)の結果と理解することができるので、制御ループもまた主増幅器ループで発生した歪みを除去するために使用することができることは明らかである。
【００３６】
上述の実施形態は、単に説明図としての役割のみを果たし、これに制限されるものではない。発明の精神及び範囲から逸脱することなく上述の実施形態の変形が可能であることは、当業者にとっては自明である。本発明は、上記実施例に制限されるとみなすべきではなく、添付の請求項の範囲で等価とみなすべきである。
【図面の簡単な説明】
本発明を詳細に説明するため、単なる実施例として添付図に示す本発明の好ましい実施形態を参照する。
【図１】  図１は従来技術のフィードフォワード線形化システムのダイアグラムである。
【図２】  図２は位相及び利得が極領域で制御される、従来のフィードフォワード線形化システムのダイアグラムである。
【図３】  図３は位相及び利得がデカルト領域で制御される、従来のフィードフォワード線形化システムのダイアグラムである。
【図４】  図４は、本発明による、位相と利得がデカルト領域で制御されるフィードフォワード線形化システムの実施形態のダイアグラムである。
【図５】  図５は、本発明による、位相と利得がデカルト領域で制御されるフィードフォワード線形化システムの別の実施形態のダイアグラムである。
【図６】  図６は、本発明による、位相と利得がデカルト領域で制御されるフィードフォワード線形化システムの別の実施形態のダイアグラムである。
【図７】  図７は、本発明による、位相と利得がデカルト領域で制御されるフィードフォワード線形化システムの別の実施形態のダイアグラムである。
【図１】
0004050054.tif 000002
【図２】
0004050054.tif 000003
【図３】
0004050054.tif 000004
【図４】
0004050054.tif 000005
【図５】
0004050054.tif 000006
【図６】
0004050054.tif 000007
【図７】
0004050054.tif 000008